(57)【要約】【課題】土地の単位領域に対する太陽電池の設置容量を増加させる。【解決手段】太陽光発電システム（１００）では、太陽電池アレイ（８０）を備えた太陽電池アレイ構造体（２）が複数配列されており、隣り合う太陽電池アレイ構造体（２）同士の間に形成された間隔は、作業者が作業を行うための作業スペースの幅未満または通行スペースの幅未満に設定され、太陽電池アレイ（８０）の傾斜角度が変化することにより、隣り合う太陽電池アレイ構造体（２）の間に、作業者が作業を行うための作業スペースまたは通行スペースが一時的に形成される。【選択図】図１
2018011484.tif 000002
【特許請求の範囲】
【請求項１】
複数の太陽電池パネルを接続した太陽電池アレイと、当該太陽電池アレイを固定した架台とを備えた太陽電池アレイ構造体が、複数配列されており、
隣り合う太陽電池アレイ構造体同士の間に形成された間隔は、作業者が作業を行うための作業スペースの幅未満、または、上記作業者が通行するための通行スペースの幅未満に設定され、
上記隣り合う太陽電池アレイ構造体の少なくとも一方は、上記架台の設置面に対する上記太陽電池アレイの傾斜角度を変化させることにより、上記間隔を、上記作業スペースの幅以上または上記通行スペースの幅以上に広げる可動部を備えていること
を特徴とする太陽光発電システムの設置構造。
【請求項２】
ある方向に配列された複数の上記太陽電池アレイ構造体は、それぞれ上記可動部を備えており、
上記可動部を備えた上記太陽電池アレイ構造体の上記太陽電池アレイの傾斜角度を、上記可動部によってそれぞれ変化させることにより、上記ある方向に延び、幅が上記作業スペースの幅以上または上記通行スペースの幅以上である通路を一時的に形成することを特徴とする請求項１に記載の太陽光発電システムの設置構造。
【請求項３】
上記隣り合う太陽電池アレイ構造体の両方が、上記可動部を備えており、
上記各可動部によって、上記隣り合う太陽電池アレイ構造体の太陽電池アレイの受光面同士が対面するように、上記隣り合う太陽電池アレイ構造体の太陽電池アレイの各傾斜角度を変化させることにより、上記間隔を、上記作業スペースの幅以上または上記通行スペースの幅以上に広げることを特徴とする請求項１または２に記載の太陽光発電システムの設置構造。
【請求項４】
上記太陽電池アレイ構造体は、上記設置面に立設される支柱を備え、
上記可動部は、上記支柱を挟むように上記太陽電池アレイを折り畳む構造を備えていることを特徴とする請求項１から３のいずれか１項に記載の太陽光発電システムの設置構造。
【請求項５】
上記太陽光発電システムが発電を行う状態では、上記設置面に対する上記太陽電池アレイの傾斜角度は0.5度以上60度以下に設定されていることを特徴とする請求項１から３のいずれか１項に記載の太陽光発電システムの設置構造。
【請求項６】
上記太陽電池アレイは、第１太陽電池アレイと第２太陽電池アレイとを備え、
上記太陽電池アレイが折り畳まれた状態では、上記第１太陽電池アレイと上記第２太陽電池アレイとが上記支柱を挟み、
上記太陽電池アレイが折り畳まれない状態では、上記設置面に対する上記第１太陽電池アレイの傾斜角度は、0.5度以上60度以下に設定されている一方、
上記設置面に対する上記第２太陽電池アレイの傾斜角度は、−0.5度以上−60度以下に設定されていることを特徴とする請求項４に記載の太陽光発電システムの設置構造。
【請求項７】
複数配列された上記太陽電池アレイ構造体には、上記可動部を備えない固定型太陽電池アレイ構造体であって、太陽電池アレイの傾斜角度が固定された固定型太陽電池アレイ構造体が含まれていることを特徴とする請求項１から６のいずれか１項に記載の太陽光発電システムの設置構造。
【請求項８】
互いに異なる方向に配列された複数の上記太陽電池アレイ構造体が上記可動部を備え、
形成しようとする複数の通路が交差または接続する位置に、上記太陽電池アレイ構造体が配置されていないスペースが設けられており、
互いに異なる方向に配列された上記太陽電池アレイの傾斜角度を上記可動部によってそれぞれ変化させることにより、上記スペースから互いに異なる上記方向に延び、幅がそれぞれ上記作業スペースの幅以上または上記通行スペースの幅以上である複数の上記通路が一時的に形成されることを特徴とする請求項１から７のいずれか１項に記載の太陽光発電システムの設置構造。
【請求項９】
上記作業スペースまたは上記通行スペースは、1.5ｍ以上の幅を備えていることを特徴とする請求項１〜８のいずれか１項に記載の太陽光発電システムの設置構造。
【請求項１０】
太陽光発電システムのメンテナンス方法であって、
上記太陽光発電システムでは、複数の太陽電池パネルを接続した太陽電池アレイと、当該太陽電池アレイを固定した架台とを備えた太陽電池アレイ構造体が、複数配列され、かつ、隣り合う太陽電池アレイ構造体同士の間に形成された間隔は、作業者が作業を行うための作業スペースの幅未満、または、上記作業者が通行するための通行スペースの幅未満に設定されており、
上記隣り合う太陽電池アレイ構造体の少なくとも１つにおいて、上記架台の設置面に対する上記太陽電池アレイの傾斜角度を変化させることにより、上記間隔を、上記作業スペースの幅以上または上記通行スペースの幅以上に広げるステップを含むこと
を特徴とする太陽光発電システムのメンテナンス方法。
【請求項１１】
上記ステップにおいて、ある方向に配列された複数の上記太陽電池アレイ構造体がそれぞれ備えた上記太陽電池アレイの傾斜角度を変化させることにより、上記ある方向に延び、幅が上記作業スペースの幅以上または上記通行スペースの幅以上である通路を一時的に形成することを特徴とする請求項１０に記載の太陽光発電システムのメンテナンス方法。
【発明の詳細な説明】
【技術分野】
【０００１】
本発明は、太陽光発電システムの設置構造、および、太陽光発電システムのメンテナンス方法に関する。
【背景技術】
【０００２】
メガソーラーシステムとも呼ばれる大規模産業用の太陽光発電システムは、複数の太陽電池アレイ構造体が縦横かつ広範囲に配列された構造を有する。従来、このような太陽光発電システムでは、各太陽電池アレイ構造体の近傍に、作業者が太陽電池アレイ構造体の点検または清掃等を行うための作業スペースが設けられる。例えば、特許文献１には、隣り合う太陽電池アレイ構造体の間に、太陽電池アレイ構造体の敷設、保守、点検等に必須のものとして、１〜２ｍ幅の通行スペース（作業者のための通路）を設けることが記載されている。特許文献２には、隣り合う太陽電池アレイ構造体の間に、作業者が通行可能な寸法の間隔を確保することが記載されている。
【先行技術文献】
【特許文献】
【０００３】
【特許文献１】特開２０１５−３４９６７号公報（２０１５年１月１９日公開）
【特許文献２】特開２０１５−１２４５３７号公報（２０１５年７月６日公開）
【特許文献３】特開２０１３-１７２１４５号公報（２０１３年９月２日公開）
【特許文献４】特開２０１５−１８８２９６号公報（２０１５年１０月２９日公開）
【発明の概要】
【発明が解決しようとする課題】
【０００４】
しかしながら、上記作業スペースまたは上記通行スペースには、太陽電池アレイ構造体を設置することができないので、従来の太陽光発電システムには、土地の単位領域に対する太陽電池の設置容量が少ない、すなわち、土地の単位領域に配置することができる太陽電池アレイの総数が少ないという問題がある。
【０００５】
本発明は、前記の問題点に鑑みてなされたものであり、その目的は、土地の単位領域に対する太陽電池の設置容量を増加させることにある。
【課題を解決するための手段】
【０００６】
上記の課題を解決するために、本発明の一態様に係る太陽光発電システムの設置構造は、複数の太陽電池パネルを接続した太陽電池アレイと、当該太陽電池アレイを固定した架台とを備えた太陽電池アレイ構造体が、複数配列されており、隣り合う太陽電池アレイ構造体同士の間に形成された間隔は、作業者が作業を行うための作業スペースの幅未満、または、上記作業者が通行するための通行スペースの幅未満に設定され、上記隣り合う太陽電池アレイ構造体の少なくとも一方は、上記架台の設置面に対する上記太陽電池アレイの傾斜角度を変化させることにより、上記間隔を上記作業スペースの幅以上、または、上記通行スペースの幅以上に広げる可動部を備えている。
【０００７】
また、上記の課題を解決するために、本発明の一態様に係る太陽光発電システムの設置構造のメンテナンス方法は、太陽光発電システムの設置構造に対するメンテナンス方法であって、上記太陽光発電システムでは、複数の太陽電池パネルを接続した太陽電池アレイと、当該太陽電池アレイを固定した架台とを備えた太陽電池アレイ構造体が、複数配列され、かつ、隣り合う太陽電池アレイ構造体同士の間に形成された間隔は、作業者が作業を行うための作業スペースの幅未満、または、上記作業者が通行するための通行スペースの幅未満に設定されており、上記隣り合う太陽電池アレイ構造体の少なくとも１つにおいて、上記架台の設置面に対する上記太陽電池アレイの傾斜角度を変化させることにより、上記間隔を、上記作業スペースの幅以上、または、上記通行スペースの幅以上に広げるステップを含む。
【発明の効果】
【０００８】
本発明の一態様によれば、土地の単位領域に対する太陽電池の設置容量を増加させることができる。
【図面の簡単な説明】
【０００９】
【図１】実施形態１に係る太陽光発電システムの俯瞰図であり、作業スペースまたは通行スペースを形成していない状態の太陽光発電システムを示す図である。
【図２】実施形態１に係る太陽光発電システムの俯瞰図であり、作業スペースまたは通行スペースを少なくとも一部の領域に形成した状態の太陽光発電システムを示す図である。
【図３】各実施形態に係る太陽光発電システムに適用し得る太陽電池アレイ構造体の構成例を示す図であり、太陽電池アレイ構造体を太陽電池アレイの裏面側から見た斜視図である。
【図４】図３に示す太陽電池アレイ構造体による太陽追尾動作を示す図である。
【図５】実施形態２に係る太陽光発電システムの俯瞰図であり、作業スペースまたは通行スペースを形成していない状態の太陽光発電システムを示す図である。
【図６】（ａ）は、図５に示す視点Ａから見た太陽光発電システムを示し、（ｂ）は、図５に示す視点Ｂから見た太陽光発電システムを示す図である。
【図７】実施形態２に係る太陽光発電システムの俯瞰図であり、作業スペースまたは通行スペースを少なくとも一部の領域に形成した状態の太陽光発電システムを示す図である。
【図８】図７に示す矢印の方向に見た太陽光発電システムを示す図である。
【図９】各実施形態２に係る太陽光発電システムに適用し得る太陽電池アレイ構造体の他の構成例を示す図であり、太陽電池アレイ構造体を太陽電池アレイの裏面側から見た斜視図である。
【図１０】（ａ）（ｂ）は、図９に示す太陽電池アレイ構造体の斜視図であり、（ａ）は、緩い傾斜状態で展開した太陽電池アレイ構造体を示し、（ｂ）は、垂直に近い傾斜状態で閉じた太陽電池アレイ構造体を示す。
【図１１】（ａ）（ｂ）は、図１０に示す太陽電池アレイ構造体の正面図であり、（ａ）は、緩い傾斜状態で展開した太陽電池アレイ構造体を示し、（ｂ）は、垂直に近い傾斜状態で閉じた太陽電池アレイ構造体を示す。
【図１２】実施形態３に係る太陽光発電システムの俯瞰図であり、作業スペースまたは通行スペースを形成していない状態の太陽光発電システムを示す図である。
【図１３】実施形態３に係る太陽光発電システムの俯瞰図であり、作業スペースまたは通行スペースを少なくとも一部の領域に形成した状態の太陽光発電システムを示す図である。
【図１４】図１３に示す矢印の方向に見た太陽光発電システムを示す図である。
【図１５】実施形態４に係る太陽光発電システムの俯瞰図であり、中央領域以外には作業スペースまたは通行スペースを形成していない状態の太陽光発電システムを示す図である。
【図１６】実施形態４に係る太陽光発電システムの俯瞰図であり、ある方向に延びる通行スペースと、それに交差する方向に延びる通行スペースとを形成した状態の太陽光発電システムを示す図である。
【図１７】図１６に破線で示す太陽光発電システムの一部領域を拡大した斜視図である。
【図１８】（ａ）は、作業スペースまたは通行スペースを形成していない状態の、実施形態５に係る太陽光発電システムの俯瞰図であり、（ｂ）は、（ａ）に示す太陽光発電システムの一部領域の拡大図であり、（ｃ）は、（ａ）に示す太陽光発電システムの一部領域の斜視図である。
【図１９】（ａ）は、作業スペースまたは通行スペースを少なくとも一部の領域に形成した状態の、実施形態５に係る太陽光発電システムの俯瞰図であり、（ｂ）は、（ａ）に示す太陽光発電システムの一部領域の拡大図であり、（ｃ）は、（ａ）に示す陽光発電システムの一部領域の斜視図である。
【図２０】（ａ）は、固定型および折り畳み型の太陽電池アレイ構造体を備え、作業スペースまたは通行スペースを形成していない状態の、実施形態５に係る他の太陽光発電システムの俯瞰図であり、（ｂ）は、（ａ）に示す太陽光発電システムの一部領域の拡大図であり、（ｃ）は、（ａ）に示す太陽光発電システムの一部領域の斜視図である。
【図２１】（ａ）は、折り畳み型の太陽電池アレイ構造体を閉じることによって、作業スペースまたは通行スペースを形成した状態の、実施形態５に係る他の太陽光発電システムの俯瞰図であり、（ｂ）は、（ａ）に示す太陽光発電システムの一部領域の拡大図であり、（ｃ）は、（ａ）に示す太陽光発電システムの一部領域の斜視図である。
【図２２】（ａ）（ｂ）は、実施形態６に係る太陽光発電システムが備えた太陽電池アレイ構造体の斜視図であり、（ａ）は、緩い傾斜状態で展開した太陽電池アレイ構造体を示し、（ｂ）は、垂直に近い傾斜状態で閉じた太陽電池アレイ構造体を示す。
【発明を実施するための形態】
【００１０】
〔実施形態１〕
以下、本発明の実施の形態について、図１〜図４を用いて、詳細に説明する。
【００１１】
（太陽光発電システム１００の構成）
図１は、本実施形態に係る太陽光発電システム１００の斜視図である。図１に示すように、太陽光発電システム１００は、土地の設置面上に立設された複数の太陽電池アレイ構造体２を備えている。太陽光発電システム１００では、複数の太陽電池アレイ構造体２が、設置面上に平面的に、つまり縦横に配列されている。各太陽電池アレイ構造体２は、少なくとも、受光面が設置面にほぼ垂直な状態となるように傾動可能であり、さらに、受光面が常に太陽を向くように、受光面の向きを変化させる構成を備えていてもよい。なお、図３に示すように、太陽電池アレイ構造体２は、複数枚の太陽電池パネルがタイル状に接続された太陽電池アレイ８０を備えている。
【００１２】
ここで、従来の太陽光発電システム（例えば、特許文献１および２参照）では、隣り合う太陽電池アレイ構造体の太陽電池アレイの間には、太陽電池アレイ構造体の敷設、保守、点検等に必須のものとして、１〜２ｍ幅の通行スペース、または作業用車両が通行できる間隔（例えば、約４ｍ）が設けられる。一方、太陽光発電システム１００では、隣り合う太陽電池アレイ構造体２の太陽電池アレイ８０の間には、作業用車両が通行できる通行スペース未満の間隔、より好ましくは、作業者が作業を行うための作業スペース未満の間隔、さらに好ましくは、作業者が通行できないほど狭い間隔が空いている。この間隔が狭いほど、土地の単位領域に設置することができる太陽電池アレイ構造体２の総数が増大し、太陽電池の設置容量が増える。
【００１３】
一例として、東西方向に隣り合う太陽電池アレイ８０の間隔は、３００〜５００ｍｍであってよい（後述する図６の（ａ）（ｂ）参照）。また、南北方向に隣り合う太陽電池アレイ構造体２の太陽電池アレイ８０の間隔も、３００〜５００ｍｍであってよい。この間隔は、複数の太陽電池アレイ構造体２を土地の設置面に縦横に配列させる敷設工事に必要なマージンとなる。また、この間隔は、地震または大風によって、隣り合う太陽電池アレイ８０の接触または衝突を回避するためのマージンともなる。
【００１４】
（太陽光発電システム１００の変化）
太陽光発電システム１００が備えた各太陽電池アレイ構造体２は、太陽電池アレイ８０の傾斜角度、つまり設置面に対する受光面の向きを変化させることが可能である。図１及び図２に示す例では、少なくとも受光面を東に向けるように、太陽電池アレイ８０を傾斜させることができる。太陽電池アレイ８０の傾斜角度が大きくなるほど、つまり、受光面が設置面に対して垂直に近づくほど、隣り合う太陽電池アレイ構造体２の間隔が広くなるので、太陽光発電システム１００には、所定値以上の幅を備える作業者の作業スペース（図２のＷ１およびＷ２）、通行スペース、または作業用車両の通行スペースが一時的に形成される。上記所定値は、作業者が作業を行うための作業スペースの幅の下限、または、作業者が通行するための通行スペースの幅の下限よりも大きければよく、例えば、1.5ｍであってよい。なお、本明細書において、通行スぺースは、ある方向に延伸する通路状のスペースであり、作業スペースは、局所的なスペースを意味する。図２の場合、通行スペースは南北方向に延びている。
【００１５】
なお、太陽電池アレイ８０の傾斜角度は、作業者の手作業によって変化されてもよいし、太陽電池アレイ構造体２に取り付けられたアクチュエータ（図示せず）等をコンピュータ制御することによって変化されてもよい。また、太陽光発電システム１００の全ての太陽電池アレイ８０が傾動可能に構成されていなくてもよく、作業スペースまたは通行スペースを作りたい領域の太陽電池アレイ８０が傾動可能に構成されていればよい。
【００１６】
図２を用いて、太陽光発電システム１００において、太陽電池アレイ８０の傾斜角度がどのように変化して、作業者のための一時的な作業スペースが形成されるのかを説明する。図２は、太陽光発電システム１００の斜視図である。図２に示す太陽光発電システム１００では、一部の太陽電池アレイ構造体２’の太陽電池アレイ８０を傾動させることによって、太陽電池アレイ８０の傾斜角度を、他の太陽電池アレイ８０の傾斜角度（図１に示す太陽電池アレイ８０の傾斜角度と同じである）よりも大きくしている。
【００１７】
図２に示すように、傾斜角度の大きい太陽電池アレイ構造体２’の近傍には、作業者が少なくとも入ることができる作業スペースＷ１、Ｗ２（Ｗ１＞Ｗ２）が形成されている（図２では、作業スペースＷ１、Ｗ２は、南北方向に延びる通行スペースの一部である）。なお、作業スペースを挟んで隣り合う２つの太陽電池アレイ構造体２’において、それぞれの太陽電池アレイ８０の傾斜角度を大きく変えた場合には、間隔の広い作業スペースＷ１が形成される。一方、作業スペースを挟んで隣り合う２つの太陽電池アレイ構造体２’において、一方の太陽電池アレイ８０の傾斜角度を大きく変え、他方の太陽電池アレイ８０の傾斜角度を変えないか、または小さく変えた場合には、間隔が作業スペースＷ１より狭い作業スペースＷ２が形成される。
【００１８】
このように、太陽電池アレイ８０の傾斜角度を大きくするほど、太陽電池アレイ８０が設置面上で占有する領域が一時的に縮小する。太陽電池アレイ８０が設置面上で一時的に占有しなくなった領域が、作業スペースＷ１またはＷ２になり、一列に配列された複数の太陽電池アレイ８０が設置面上で一時的に占有しなくなった領域、つまり隣り合う複数の作業スペースＷ１またはＷ２が連続した領域が、通行スペースとして形成される。
【００１９】
作業スペースＷ１またはＷ２は、少なくとも作業者が作業スペース内に入ることができる程度に広く形成できればよいが、作業者が作業スペース内でメンテナンス｛太陽電池アレイ８０の清掃や点検（外観の異常や故障の有無の確認）、日射計の清掃、除草作業、雪かき等｝を行うことができる程度に広く形成できることが好ましく、作業スペースが広くなるほど作業性は向上する。また、太陽光発電システム１００の規模が大きく、作業者の移動距離が長くなる場合や、メンテナンスのときに必要な太陽電池パネルなどの交換部品や作業機器を運搬することを考慮すると、少なくとも軽トラックのような車両が作業スペースＷ１またはＷ２内に入って通行できる程度に広く形成できることがさらに好ましい。具体的には、一時的に形成される作業スペースＷ１またはＷ２は、作業者の作業と通行を考慮すると、1.5ｍ以上の幅は必要である。また、複数の作業者がすれ違ったり、メンテンスのときに太陽電池パネルや作業機器を運搬することを考えると、２ｍ以上の幅を有することが好ましく、車両の通行を考慮した場合には４ｍ程度の幅を有することが好ましい。１つの太陽電池アレイ構造体２の近傍に形成される作業スペースＷ１またはＷ２の幅に直交する方向（図２では南北方向）の長さは、１つの太陽電池アレイ構造体２の（南北方向の）長さ（例えば、約９ｍ）によっておおよそ決定される。
【００２０】
（太陽電池アレイ構造体２）
図３および図４を用いて、太陽光発電システム１００を構成する太陽電池アレイ構造体２の構造および変形動作を説明する。図３は、太陽電池アレイ８０の裏面側から見た太陽電池アレイ構造体２を示す。図４は、太陽電池アレイ構造体２が備えた太陽電池アレイ８０の傾斜角度の変化を示す。
【００２１】
図３を参照して、本実施形態に係る太陽電池アレイ構造体２の構成を説明する。図３は、太陽電池アレイ構造体２の構成を示す図であり、太陽電池アレイ構造体２を太陽電池アレイ８０の裏面側から見た図である。太陽電池アレイ構造体２は、支柱３０の上方で太陽電池アレイ８０を、太陽電池アレイ８０の長手方向（つまり、南北方向）に沿った軸の周りに回転させるシャフト部４０を備えている。
【００２２】
図３に示すように、太陽電池アレイ８０が載置される載置台１０は、縦桟２０Ａおよび横桟２０Ｂを格子状に組み合わせることによって形成されている。載置台保持部６０ａ（可動部）は、略台形状の板部材である保持板６１と連結バー６２とを備えている。保持板６１は、シャフト部４０の設置面側に垂下状に取り付けられている。また、複数の保持板６１が、シャフト部４０の延伸方向に、互いの間隔を空けて設けられている。連結バー６２は、隣り合って対をなす２枚の保持板６１の各対向面間に差し渡され、各対向面に固定されている。対をなす２枚の保持板６１に対して、例えば２本の連結バー６２が設けられている。２枚の保持板６１と２本の連結バー６２によって１組の載置台保持部６０ａを構成しており、合計４組の載置台保持部６０ａがシャフト部４０に対して設けられている。
【００２３】
複数の載置台保持部６０ａは、それぞれ、連結バー６２の周りに回転可能に取り付けられたアーム部７０を介して縦桟２０Ａと連結されることによって、載置台１０を支持している。アーム部７０は、１組の載置台保持部６０ａに対して２本ずつ設けられている。その２本のアーム部７０は、縦桟２０Ａの延伸方向の一端側と他端側とに開くように、連結バー６２から上斜めに延び出し、その上端部（連結バー６２に取り付けられていない端部）は、縦桟２０Ａの下面に回動可能に取り付けられている。対をなす２本のアーム部７０は、手動によって、載置台１０の変形と連動して、開き角度を変えるように連結バー６２を中心として回動する。
【００２４】
図４は、本実施形態に係る太陽電池アレイ構造体２の動作を説明する図である。図４に示すように、太陽電池アレイ構造体２が備えた載置台保持部６０ａは、シャフト部４０の回転に伴って、例えば東西方向を含む面に沿って、シャフト部４０を中心とする回転運動をすることによって、載置台１０および太陽電池アレイ８０の向きを変化させることができる。言い換えると、載置台保持部６０ａは、載置台１０に載置される太陽電池アレイ８０の法線の向きを、例えば東西方向を含む面に沿って変化させることができる。図４は、太陽電池アレイ８０の受光面が西向きと東向きとの間で変化する場合を示している。
【００２５】
なお、太陽電池アレイ８０が太陽追尾動作を行う構成を備えていない場合、太陽光発電システム１００が発電を行う状態において、太陽電池アレイ８０の受光面に例えば東向きに緩やかな傾斜を持たせることが好ましい。これは、受光面に降り注いだ雨水が受光面上を流れながら、受光面上に載った土埃または砂埃などを自然に洗い流す自浄作用を太陽電池アレイ８０に持たせるためである。そのような緩やかな傾斜角度は、例えば、約0.5度から60度の範囲内であればよい。
【００２６】
本実施形態の構成によれば、時間とともに太陽の位置が変化するのに対応して、太陽電池アレイ８０が太陽を追尾するように、太陽電池アレイ８０の受光面の向きを調整することによって、太陽電池アレイ８０の受光量を増大させることができる。
【００２７】
〔実施形態２〕
本発明の他の実施形態について、図５〜図１０に基づいて説明すれば、以下のとおりである。なお、説明の便宜上、前記実施形態にて説明した部材と同じ機能を有する部材については、同じ符号を付記し、その説明を省略する。
【００２８】
前記実施形態１で説明した太陽光発電システム１００では、太陽電池アレイ８０の傾斜角度を変化させることによって、一時的な作業者の作業スペースＷ１またはＷ２を形成した（図２参照）。一方、本実施形態で説明する太陽電池アレイ８０は、後で詳述するが、図１０に示すように、図４に示すシャフト部４０に相当する回転軸を中心として第１太陽電池アレイ８０Ａおよび第２太陽電池アレイ８０Ｂに分離しており、分離した２つの太陽電池アレイ８０Ａ、８０Ｂが、それぞれ、設置面に対する傾斜角度が大きくなるように回動する。つまり、分離した２つの太陽電池アレイ８０Ａ、８０Ｂは、図９および図１０に示す支柱３０を挟むように折り畳まれる。例えば、本実施形態の太陽電池アレイ構造体は、傘が展開したり、閉じたりするかのように変形する。
【００２９】
（太陽光発電システム２００の構成）
図５は、本実施形態に係る太陽光発電システム２００の俯瞰図である。図５に示すように、太陽光発電システム２００では、複数の太陽電池アレイ構造体１が、設置面上に平面的に、つまり縦横に配列されている。図５は、通常時、つまり太陽電池アレイ構造体１が発電を行っているときの、太陽光発電システム２００を示す。
【００３０】
図６の（ａ）は、図５に示す視点Ａから矢印で示す方向に見た太陽光発電システム２００を示す。また、図６の（ｂ）は、図５に示す視点Ｂから矢印で示す方向に見た太陽光発電システム２００を示す。図６の（ａ）に示すように、東西方向に隣り合う太陽電池アレイ構造体１の太陽電池アレイ８０の間隔は約５００ｍｍであってよい。図６の（ｂ）に示すように、南北方向に隣り合う太陽電池アレイ構造体１の太陽電池アレイ８０の間隔は、約３００ｍｍであってよい。また、一構成例では、設置面から太陽電池アレイ８０までの高さは１４４９ｍｍ、東西方向に隣り合う太陽電池アレイ構造体１の支柱３０の間の距離は３６６８ｍｍ、また南北方向に隣り合う太陽電池アレイ構造体１の支柱３０の間の距離は４１５９ｍｍであってよい。しかしながら、上述した数値は、太陽電池アレイ構造体１のサイズ等によって異なってよい。
【００３１】
図６の（ａ）（ｂ）に示すように、太陽電池アレイ構造体１では、土地の設置面に立設された支柱３０の上に、載置台保持部６０（可動部）が配置されている。載置台保持部６０の上に、太陽電池アレイ８０が載置されている。各太陽電池アレイ構造体１の載置台保持部６０の長手方向（軸方向）は南北方向に一致している。
【００３２】
太陽電池アレイ８０を構成する第１太陽電池アレイ８０Ａおよび第２太陽電池アレイ８０Ｂのうち、載置台保持部６０に対して東側（図６の（ａ）の右側）にある第２太陽電池アレイ８０Ｂは、東方向に若干傾斜しており、載置台保持部６０に対して西側（図６の（ａ）の左側）にある第１太陽電池アレイ８０Ａは、西方向に若干傾斜している。つまり、図６の（ａ）に示すように、各太陽電池アレイ構造体１の南側から北向きに太陽電池アレイ構造体１を見たとき、各太陽電池アレイ構造体１の太陽電池アレイ８０は、緩やかな山型または波型に傾斜している。そのため、太陽光発電システム２００の南側から北向きに太陽光発電システム２００を見たとき、複数の太陽電池アレイ８０の受光面が、東西方向に一定の周期で、さざ波のように緩やかに上下を繰り返している。太陽電池アレイ８０は、太陽電池アレイ８０上に落下した雨が、太陽電池アレイ８０上のほこり等の異物を取り込みながら、太陽電池アレイ８０の受光面の勾配に沿って流れ、太陽電池アレイ８０の端から、太陽電池アレイ８０の下に落下するような傾斜角度を有することが好ましい。この場合、太陽電池アレイ８０は自浄作用を有するので、作業者が太陽電池アレイ８０を清掃する頻度を減少させることができる。太陽電池アレイ８０Ａは、例えば、設置面に対して、約0.5度以上60度以下、太陽電池アレイ８０Ｂは、例えば、設置面に対して、約−0.5度以上−60度以下の傾斜角度を有していていれば、水がそれぞれの受光面上を流れながら、受光面上に載った土埃または砂埃などを自然に洗い流す自浄作用を持つことができる。
【００３３】
なお、第１太陽電池アレイ８０Ａおよび第２太陽電池アレイ８０Ｂが、それぞれ上記自浄作用を持つように上記の傾斜角度を持った状態（図６に示す状態）のことを、太陽光発電システム２００の太陽電池アレイ８０が展開した状態と呼ぶ。太陽電池アレイ８０が展開した状態において、図４に示すように、載置台保持部６０が、回転運動をすることによって、載置台１０および太陽電池アレイ８０の向きを、太陽を追尾するように変化させてもよい。
【００３４】
第１太陽電池アレイ８０Ａと第２太陽電池アレイ８０Ｂとが同一面を構成している状態、言い換えると太陽電池アレイ８０が山型になっていない形態と比較して、太陽電池アレイ８０が設置面上で占有する領域は小さい。そのため、設置面の単位領域あたりに配置することができる太陽電池アレイ８０の数を増加させることができるので、太陽電池の設置容量を増加させることができる。換言すれば、太陽光発電システム２００は、従来の太陽光発電システムよりも、発電によって得られる電力量を増加させることができる。例えば、太陽光発電システム２００と同じ大きさの領域に、太陽電池アレイが平板状である太陽電池アレイ構造体が配列された太陽光発電システムであって、従来のように隣り合う太陽電池アレイ構造体の間に作業スペースが設けられた太陽光発電システムと比較して、太陽光発電システム２００は、約1.6倍の電力が得られる可能性があることが、発明者によって計算されている。
【００３５】
【表１】
2018011484.tif 000003
【００３６】
上記の表は、本発明に係る太陽光発電システムの設置形態Ａ，Ｂと、従来の太陽光発電システムの設置構造との比較結果を示す。発明者は、いずれの太陽光発電システムも敷地面積は同一であるという条件の下で、各太陽光発電システムについて、太陽電池の設置容量、および、設置可能な太陽電池パネルの枚数を比較した。表中の「設置形態Ａ」は、前記実施形態１に係る太陽光発電システム１００における太陽電池アレイ構造体２の設置構造に対応する。また、表中の「設置形態Ｂ」は、本実施形態２に係る太陽光発電システム２００における太陽電池アレイ構造体１の設置構造に対応する。
【００３７】
設置形態Ａでは、前記実施形態１に係る太陽光発電システム１００と同様に、太陽電池パネル（アレイ）が傾斜した状態で配置されている。設置形態Ａでは、太陽電池パネルの傾斜方向に隣接する太陽電池アレイ構造体２の間に、隣接する太陽電池アレイ構造体２の影が太陽電池パネルにかからないようにして、できるだけ太陽電池アレイ構造体２同士を近接させるように、約２ｍの間隔が設けられている。発電時、設置形態Ａにおける太陽電池パネルの傾斜角度は１０度である。
【００３８】
設置形態Ｂでは、本実施形態２に係る太陽光発電システム１００と同様に、太陽電池パネル（アレイ）が設置面である地面にほぼ平行になるように設置されているが、太陽電池パネル上から水が流れ落ちるように、太陽電池パネルに小さな傾斜（水勾配）をつけて、山型または波型（図６の（ａ）参照）を形成している。設置形態Ｂでは、太陽電池パネルの傾斜方向に隣接する太陽電池アレイ構造体１の間に、５００ｍｍの間隔が設けられている。発電時、設置形態Ｂにおける太陽電池パネルの水勾配のための傾斜角度は一例として、ここでは５度としている。
【００３９】
比較例である従来の太陽光発電システムでは、設置形態Ａと同様に、太陽電池パネル（アレイ）が傾斜した状態で配置されている。また、従来の太陽光発電システムでも、太陽電池パネルの傾斜角度は１０度である。しかし、従来の太陽光発電システムでは、設置形態Ａとは異なり、太陽電池パネルの傾斜方向に隣接する太陽電池アレイ構造体の間に、作業者が太陽電池アレイ構造体の間で作業をしたり、太陽電池アレイ構造体の間を通行したりするために、３ｍの間隔が設けられている。
【００４０】
表から分かるように、設置形態Ａでは、従来の太陽光発電システムの設置構造よりも、太陽電池の設置容量、および、設置可能な太陽電池パネルの枚数の両方が増加し、設置形態Ｂでは、その両方が設置形態Ａよりさらに増加する。つまり、本発明に係る太陽光発電システムの設置形態Ａ，Ｂでは、太陽電池アレイ構造体を、従来よりも狭い間隔で配列することができるため、従来の太陽光発電システムの設置構造と比較して、より多くの太陽電池パネルを設置することができ、その結果、発電によってより多くの電力を得ることができる。
【００４１】
（太陽光発電システム２００の変化）
太陽光発電システム２００では、第１太陽電池アレイ８０Ａの基端部（回動機構部５０と接続する部分）を支点として、第１太陽電池アレイ８０Ａの末端部（回動機構部５０から遠い端部）が支柱３０に近づくように、第１太陽電池アレイ８０Ａが回動するとともに、第２太陽電池アレイ８０Ｂも、同様に、第２太陽電池アレイ８０Ｂの末端部が支柱３０に近づくように回動する。第１太陽電池アレイ８０Ａおよび第２太陽電池アレイ８０Ｂは、互いに連動して、同じ角度で回動してもよいし、異なる角度で別個に回動してもよい。太陽電池アレイ構造体１は、第１太陽電池アレイ８０Ａおよび第２太陽電池アレイ８０Ｂのそれぞれが設置面に対して約９０度になるまで回動することによって、第１太陽電池アレイ８０Ａおよび第２太陽電池アレイ８０Ｂが支柱３０を挟んだ状態、すなわち「閉じた状態」とすることができる。なお、太陽電池アレイ構造体１は、作業者によって閉じられてもよいし、太陽電池アレイ構造体１に取り付けられたアクチュエータ（図示せず）等をコンピュータ制御することによって閉じられてもよい。
【００４２】
図７は、一部の太陽電池アレイ構造体１が「閉じて」いるときの太陽光発電システム２００の俯瞰図である。図７では、展開した太陽電池アレイ構造体１を符号１で示し、閉じた太陽電池アレイ構造体１を符号１’で示す。太陽光発電システム２００では、一部または全部の太陽電池アレイ構造体１を閉じることが可能である。
【００４３】
図８は、図７に示す矢印の方向に見た太陽光発電システム２００を示す図である。図８に示すように、閉じた太陽電池アレイ構造体１の近傍には、作業者が太陽電池アレイ構造体１のメンテナンスを行うための作業スペースＷが、一時的に形成されている。つまり、太陽電池アレイ構造体１が閉じたとき、該太陽電池アレイ構造体１の太陽電池アレイ８０が設置面上で占有する領域が縮小する。その結果、太陽電池アレイ構造体１’の太陽電池アレイ８０が設置面上で占有しなくなった領域が、作業者の作業スペースＷになる。なお、作業スペースＷは、少なくとも作業者が作業スペースＷ内に入ることができる大きさを有していればよい。図８に示す作業スペースＷの東西方向の幅は、約３ｍであってよい。隣り合う作業スペースＷが連続して形成される通行スペースの南北方向の長さは、太陽電池アレイ構造体１の南北方向の長さの整数倍になるが、作業対象にする太陽電池アレイ構造体１の数によって変わる。例えば、南北方向に１列に配列された太陽電池アレイ構造体１の数が１００であるとすれば、通行スペースの南北方向の長さは、作業対象にする太陽電池アレイ構造体１の数が１〜１００のどれになるかに応じて変化する。
【００４４】
図７および図８に示すように、東西方向の同じ列に並んだ複数の太陽電池アレイ構造体１が、同時に閉じ、それらの受光面同士が向かい合った場合、閉じた複数の太陽電池アレイ構造体１’の近傍に形成される作業スペースＷが結合することによって、東西方向の幅が作業スペースＷの幅の約２倍になる作業スペースが形成される。
【００４５】
通行スペースを形成するように、一時的な作業スペースが連続する方向は、太陽電池アレイ構造体１および１’の載置台保持部６０の軸の方向によって決まる。図８では、太陽電池アレイ構造体１および１’の載置台保持部６０の軸は南北方向に延伸しているので、南北方向に延伸する通行スペースが形成されている。作業者または作業用車両は、通行スペースを通って、通行スペース沿いにある任意の太陽電池アレイ構造体１’の近傍まで移動することができる。特に、通行スペースが、北または南の端にある太陽電池アレイ構造体１’に到達している場合、作業者は、太陽電池アレイ構造体１および１’が設置されている領域の外部から、通行スペースを通って、該領域の内部にある（つまり、他の太陽電池アレイ構造体１または１’によって囲まれている）太陽電池アレイ構造体１’の近傍まで、移動することができる。
【００４６】
（太陽電池アレイ構造体１の構成）
図９〜図１１を用いて、前述した太陽光発電システム２００を構成する太陽電池アレイ構造体１の構造および変形動作を説明する。図９は、太陽電池アレイ８０の裏面側から見た太陽電池アレイ構造体１を示す図である。なお、図９では、太陽電池アレイ構造体１の構成が分かり易いように、太陽電池アレイ８０が平板状であるときの太陽電池アレイ構造体１を示している。図１０の（ａ）（ｂ）は、太陽電池アレイ構造体１の斜視図であり、図１１の（ａ）（ｂ）は、太陽電池アレイ構造体１の正面図である。図１０の（ａ）および図１１の（ａ）は、「展開した」状態（図６の（ａ）（ｂ）参照）と「閉じた」状態との中間状態になっている太陽電池アレイ構造体１を示す。また、図１０の（ｂ）および図１１の（ｂ）は、「閉じた」太陽電池アレイ構造体１を示す。なお、太陽電池アレイ８０の傾斜角度は、図６に示す「展開した」状態と、図１１の（ｂ）に示す「閉じた」状態との間で、多段階に調節できるようになっていてよい。
【００４７】
図９に示すように、太陽電池アレイ構造体１は、縦桟２０Ａ、横桟２０Ｂ、支柱３０、回動機構部５０（可動部）、載置台保持部６０、およびアーム部７０を備えている。これらは、太陽電池アレイ構造体１の架台を構成する。太陽電池アレイ構造体１の架台の上には、複数の太陽電池パネルで構成された太陽電池アレイ８０が載置されている。
【００４８】
縦桟２０Ａおよび横桟２０Ｂは、格子状に組み合わされることによって、太陽電池アレイ８０を載置される載置台１０を形成している。より詳細には、図１１の（ａ）（ｂ）に示すように、載置台１０は、分離した載置部１０Ａおよび載置部１０Ｂからなる載置台１０を形成する。載置部１０Ａには、複数の太陽電池パネルで構成された前記第１太陽電池アレイ８０Ａが載置され、載置部１０Ｂには、複数の太陽電池パネルで構成された前記第２太陽電池アレイ８０Ｂが載置されている。本実施形態において、第１太陽電池アレイ８０Ａ、８０Ｂは、それぞれ、載置部１０Ａ、１０Ｂに搭載された４枚の太陽電池パネルで構成されている。
【００４９】
図１０の（ａ）および図１１の（ａ）に示すように、第１太陽電池アレイ８０Ａの受光面は、回動機構部５０と連結された基端部において最も高く、反対側の末端部に向かって、緩やかに下っている。また、第２太陽電池アレイ８０Ｂの受光面も、回動機構部５０と連結された基端部において最も高く、反対側の末端部に向かって、緩やかに下っている。第２太陽電池アレイ８０Ｂの受光面が傾斜する方向は、第１太陽電池アレイ８０Ａの受光面が傾斜する方向とは反対である。
【００５０】
なお、縦桟２０Ａおよび横桟２０Ｂのいずれか一方は省略されてもよい。また、載置台１０が回動機構部５０と、縦桟２０Ａまたは横桟２０Ｂのいずれか一方とで構成されていてもよいし、縦桟２０Ａまたは横桟２０Ｂのいずれか一方の上にのみ、太陽電池アレイ８０が載置されていてもよい。
【００５１】
載置部１０Ａおよび載置部１０Ｂは、載置台保持部６０の上方において、載置台保持部６０と並列に延伸する回動機構部５０と接続されている。載置台１０は、手動で、回動機構部５０を中心に屈曲（回動）する。言い換えると、図１０の（ｂ）および図１１（ｂ）に示すように、回動機構部５０を回転軸として、縦桟２０Ａが回動することによって、載置台１０は、載置部１０Ａと載置部１０Ｂとが、「展開した状態」（図６の（ａ）（ｂ）参照）から、回動機構部５０を頂部とする山形を形成した「閉じた状態」へと変形するように屈曲する。回動機構部５０は、例えば蝶番機構によって実現される。なお、図９〜図１１（ａ）（ｂ）に示す太陽電池アレイ構造体１は、縦桟２０Ａ、横桟２０Ｂに沿う方向での太陽電池アレイ８０全体の中央付近に１つの回動機構部５０を備えているが、その代わりに、複数の回動機構部５０を備えていてもよい。例えば、隣接する縦桟２０Ａの間に、それぞれ１つの回動機構部５０が配置されていてもよい。この構成では、回動機構部５０を境に分離した複数の太陽電池パネルがそれぞれ回動する。
【００５２】
載置部１０Ａを構成する複数の縦桟２０Ａおよび載置部１０Ｂを構成する複数の縦桟２０Ａは、それぞれ回動機構部５０と各縦桟２０Ａの端部で接続されている。さらに、載置部１０Ａ側の縦桟２０Ａと載置部１０Ｂ側の縦桟２０Ａとは、載置台保持部６０の延伸方向において位置をずらして接続されている。これによって、回動機構部５０を回動させた際に、載置部１０Ａ側の縦桟２０Ａと載置部１０Ｂ側の縦桟２０Ａとが接触しないので、載置部１０Ａおよび載置部１０Ｂの角度が設置面に対して垂直（すなわち９０度）に近くなるまで、載置部１０を折り畳むことができ、これにより、載置部１０Ａ、１０Ｂ上に搭載された第１太陽電池アレイ８０Ａおよび第２太陽電池アレイ８０Ｂの受光面を、設置面に対して垂直に近付けることができる。
【００５３】
支柱３０は、太陽電池アレイ構造体１が設置される設置面（本実施形態では設置面）上に理設されている。支柱３０上には、載置台保持部６０が固定されている。本実施形態では、載置台保持部６０は、設置面に対して平行な方向に延伸している。載置台保持部６０には、複数のアーム部７０が取り付けられている。
【００５４】
載置台保持部６０には、アーム部７０の一方の端部が回転可能に取り付けられており、アーム部７０の他方の端部が縦桟２０Ａの下面に回動可能に取り付けられている。これによって、載置台保持部６０は載置台１０を支持している。載置台保持部６０から、載置部１０Ａ側の縦桟２０Ａに向けて延設されたアーム部７０と、載置部１０Ｂ側の縦桟２０Ａに向けて延伸するアーム部７０とが一組となって、載置台保持部６０に設けられている。対をなす２本のアーム部７０は、手動によって、載置台１０の変形と連動して、第１太陽電池アレイ８０Ａと第２太陽電池アレイ８０Ｂとがなす角度を変えるように回動する。
【００５５】
なお、載置台保持部６０、および２本のアーム部７０を全て含んだものを保持部と呼称してもよい。その場合、２本のアーム部７０が接続される載置台保持部６０を保持部本体と呼称してもよい。
【００５６】
（太陽電池アレイ構造体１の動作）
図１０の（ａ）（ｂ）および図１１の（ａ）（ｂ）を用いて、太陽電池アレイ構造体１の動作を説明する。
【００５７】
対をなす２本のアーム部７０がなす角を、図１０の（ａ）および図１１の（ａ）に示す角度よりも小さくすることにより、第１太陽電池アレイ８０Ａと第２太陽電池アレイ８０Ｂとが、急峻な山形を形成するように変形する。これにより、図１０の（ｂ）および図１１の（ｂ）に示すように、太陽電池アレイ構造体１は閉じた状態になる。本実施形態においては、例として、太陽電池アレイ８０Ａ、８０Ｂの受光面の設置面に対する角度を８０度以上とした場合を、太陽電池アレイ構造体１が閉じた状態としており、太陽電池アレイ構造体１がこの状態を保持することとしている。第１太陽電池アレイ８０Ａおよび第２太陽電池アレイ８０Ｂの各傾斜角度が大きいほど、第１太陽電池アレイ８０Ａおよび第２太陽電池アレイ８０Ｂが設置面上で占有する領域が狭くなる。 
【００５８】
載置台保持部６０は、通常期において、太陽電池アレイ構造体１が閉じた状態であるときよりも、回動機構部５０を低い位置で保持している。なお、２本のアーム部７０のなす角は、図示しない作動手段によって保持されていてもよいし、図示しない角度固定具によって固定されていてもよい。
【００５９】
また、図１０の（ａ）および図１１の（ａ）では、回動機構部５０の周りで、縦桟２０Ａが屈曲することによって、第１太陽電池アレイ８０Ａおよび第２太陽電池アレイ８０Ｂが、回動機構部５０を頂部とする山型を形成する。２本のアーム部７０がなす角度を小さくすることによって、縦桟２０Ａが屈曲しながら、アーム部７０が縦桟２０Ａとの連結部を上方に持ち上げる。この結果、載置台保持部６０は、回動機構部５０を、図１１の（ａ）に示す位置よりも高い位置で保持することができる（図１１の（ｂ）参照）。
【００６０】
図１１の（ｂ）に示すように、第１太陽電池アレイ８０Ａおよび第２太陽電池アレイ８０Ｂが急峻な山型を形成しているとき、横桟２０Ｂが支柱３０の側面に設けられた補助支持部９０に当接することによって、第１太陽電池アレイ８０Ａおよび第２太陽電池アレイ８０Ｂと、２つの載置部１０Ａ、１０Ｂとが、補助支持部９０にて支持されてもよい。これにより、太陽電池アレイ構造体１に横から風が吹き付けたとき等に、載置部１０Ａおよび１０Ｂから支柱３０へ向かう方向へかかる負荷を、補助支持部９０で受け止めることができるので、アーム部７０にかかる負荷を分散させることができる。なお、横桟２０Ｂと補助支持部９０とに凹凸が嵌まり合うような係合構造を設け、横桟２０Ｂを補助支持部９０で固定できるようにしてもよい。それによって、載置部１０Ａ、１０Ｂが支柱３０に固定されるので、太陽電池アレイ構造体１が閉じた状態を保持することが容易になる。また、補助支持部９０は支柱３０に限られず、載置台保持部６０に設けられていてもよい。
【００６１】
なお、太陽電池アレイ構造体１を閉じた状態で保持するために、載置部１０Ａ、１０Ｂの動きを規制して、上述のように支柱３０に各載置部１０Ａ、１０Ｂを固定してもよい。あるいは、例えば、太陽電池アレイ構造体１が閉じた状態で、回動機構部５０の回転軸をネジで締め付けるなどの手段を用いて、回動機構部５０の回動を規制するようにしてもよいし、太陽電池アレイ構造体１が閉じた状態で、載置部１０Ａ、１０Ｂを係合部材を用いて互いに係合することで、載置部１０Ａ、１０Ｂそれぞれの動きを規制してもよいし、２本のアーム部７０を互いに係合する係合部材を用いたり、２本のアーム部７０を回動機構部５０または載置台保持部６０に係合して固定する係合部材を用いたりしても、回動機構部５０の回動を規制することができる。
【００６２】
〔実施形態３〕
本発明の他の実施形態について、図１２〜図１４に基づいて説明すれば、以下のとおりである。なお、説明の便宜上、前記実施形態にて説明した部材と同じ機能を有する部材については、同じ符号を付記し、その説明を省略する。
【００６３】
前記実施形態２に係る太陽光発電システム２００では、全ての太陽電池アレイ構造体１の長手方向が同じである（図７参照）。つまり、前記実施形態２の太陽光発電システム２００の全ての太陽電池アレイ構造体１の載置台保持部６０の軸は南北方向に延伸している。一方、本実施形態では、長手方向が互いに異なる太陽電池アレイ構造体を含む太陽光発電システムを説明する。
【００６４】
（太陽光発電システム３００の構成）
図１２は、本実施形態に係る太陽光発電システム３００の俯瞰図である。図１２に示すように、太陽光発電システム３００は、長手方向が南北方向である太陽電池アレイ構造体１Ａと、長手方向が東西方向である太陽電池アレイ構造体１Ｂとを含む。図１２は、通常時、つまり太陽光発電システム３００の太陽電池アレイ構造体１Ａおよび１Ｂが発電を行っているときの、太陽光発電システム３００を示す。
【００６５】
（太陽光発電システム３００の変化）
太陽光発電システム３００では、太陽電池アレイ構造体１Ａおよび１Ｂがそれぞれ変形する。すなわち、太陽電池アレイ構造体１Ａおよび１Ｂは、前記実施形態１で説明したように、それぞれ、「展開した」状態（図６の（ａ）（ｂ）参照）または「閉じた」状態（図１０の（ｂ）および図１１の（ｂ）参照）を取ることができる。太陽電池アレイ構造体１Ａおよび１Ｂは、作業者によって閉じられてもよいし、太陽電池アレイ構造体１Ａおよび１Ｂに取り付けられたアクチュエータ（図示せず）等をコンピュータ制御することによって閉じられてもよい。
【００６６】
図１３は、太陽電池アレイ構造体１Ｂが「閉じて」いるときの太陽光発電システム３００の俯瞰図である。図１３では、閉じた太陽電池アレイ構造体１Ｂを符号１Ｂ’で示す。なお図１３では、太陽電池アレイ構造体１Ａは展開しているが、太陽光発電システム３００は、太陽電池アレイ構造体１Ａが閉じた状態になることも可能である。
【００６７】
図１４は、図１３に示す矢印の方向（東西方向）に見た太陽光発電システム３００を示す図である。図１４に示すように、閉じた太陽電池アレイ構造体１Ｂ’の近傍には、作業者が太陽電池アレイ構造体１のメンテナンスを行うための一時的な作業スペースＷが形成されている。作業スペースＷは、少なくとも作業者が作業スペースＷ内に入ることができる大きさを有していればよい。例えば、前記実施形態２で説明した作業スペースＷと同じ大きさ（図８参照）を有していてもよい。
【００６８】
本実施形態の構成によれば、互いに異なる方向（図１３では、南北方向および東西方向）に延伸する複数の通行スペースを形成することができる。したがって、作業者の利便性が向上する。例えば、作業者が太陽光発電システム３００の南側または北側から反対側に移動する場合、南北方向に一列に配列された太陽電池アレイ構造体１Ｂを閉じることによって、南北方向に延伸する通行スペースを形成する。これにより、作業者は、南北方向に延伸する通行スペースを通り抜けることもできるし、他の太陽電池アレイ構造体１Ａおよび１Ｂによって囲まれた太陽電池アレイ構造体１Ａの近傍へ移動することもできる。また、作業者が太陽光発電システム３００の東側または西側から反対側へ移動したい場合、東西方向に一列に配列された太陽電池アレイ構造体１Ａを閉じることによって、東西方向に延伸する通行スペースを形成する。これにより、作業者は、東西方向に延伸する通行スペースを通り抜けることもできるし、他の太陽電池アレイ構造体１Ａおよび１Ｂによって囲まれた太陽電池アレイ構造体１Ｂの近傍へ移動することもできる。
【００６９】
〔実施形態４〕
本発明の他の実施形態について、図１５〜図１７に基づいて説明すれば、以下のとおりである。なお、説明の便宜上、前記実施形態にて説明した部材と同じ機能を有する部材については、同じ符号を付記し、その説明を省略する。
【００７０】
本実施形態では、前記実施形態３で説明した太陽光発電システム３００（図１２および図１３参照）において、南北方向に配列した太陽電池アレイ構造体１Ａと、東西方向に配列した太陽電池アレイ構造体１Ｂとが交差する位置に、交差スペースが設けられた太陽光発電システムについて説明する。
【００７１】
（太陽光発電システム４００の構成）
図１５は、本実施形態に係る太陽光発電システム４００の俯瞰図である。図１５に示すように、太陽光発電システム４００は、前記実施形態３で説明した太陽光発電システム３００と同様に、長手方向が南北方向である太陽電池アレイ構造体１Ａと、長手方向が東西方向である太陽電池アレイ構造体１Ｂとを含む。図１５は、通常時、つまり発電を行っているときの、太陽光発電システム４００を示す。図１５に示すように、太陽光発電システム４００では、太陽電池アレイ構造体１Ａおよび１Ｂによって囲まれた交差スペースＳが設けられている。交差スペースＳには、太陽電池アレイ構造体１Ａも太陽電池アレイ構造体１Ｂも配置されていない。なお、図１５中にある白い建造物は、パワーコンディショナ（直流交流変換機）またはトランス（電圧変換機）を表す。このような建造物を交差スペースＳ内に設置することにより、例えば、作業者は、パワーコンディショナのチェックを行う際に、交差スペースＳ内に入って、パワーコンディショナの収納庫の扉を容易に開け閉めすることができる。また、これらの建造物はサイズが大きいので、メンテナンスには作業用車両を必要とすることが多い。したがって、交差スペースＳは、作業用車両が方向転換するためにも利用される。建造物が交差スペースＳの内側にある場合、建造物の影が、交差スペースＳの外側にある太陽電池アレイ構造体１Ａおよび１Ｂの受光面を覆うこともない。したがって、太陽電池アレイ構造体１Ａおよび１Ｂの発電効率が低下することがない。
【００７２】
なお、図１５では、太陽光発電システム４００内にただ１つの交差スペースＳが設けられているが、太陽光発電システム４００は、複数の交差スペースＳを有していてもよい。例えば、太陽光発電システム４００が備えた太陽電池アレイ構造体１Ａおよび１Ｂの数が膨大である場合、太陽光発電システム４００は、それら太陽電池アレイ構造体１Ａおよび１Ｂを複数のグループに分割し、それぞれのグループの発電容量に対応した、複数のパワーコンディショナおよび／またはトランスを用いて、それぞれのグループの発電によって得られる直流を交流に変換したり、電圧を調節したりする。その場合、太陽光発電システム４００には、複数の交差スペースＳが設けられ、それらの交差スペースＳの一部または全部に、それぞれパワーコンディショナおよび／またはトランスが配置されてよい。
【００７３】
（太陽光発電システム４００の変化）
前記実施形態３で説明した太陽光発電システム３００（図１３および図１４参照）と同様に、太陽光発電システム４００では、太陽電池アレイ構造体１Ａおよび１Ｂがそれぞれ「閉じ」てよい。
【００７４】
図１６は、一部の太陽電池アレイ構造体１Ａと、全部の太陽電池アレイ構造体１Ｂとが「閉じて」いるときの太陽光発電システム４００の俯瞰図である。閉じた太陽電池アレイ構造体１Ａおよび１Ｂを、それぞれ符号１Ａ’および１Ｂ’で示す。図１６では、閉じた太陽電池アレイ構造体１Ａ’および１Ｂ’の近傍に、作業者の一時的な作業スペースＷ１〜Ｗ４が形成されている。作業スペースＷ１は、太陽光発電システム４００の東の端にある太陽電池アレイ構造体１Ｂ’の近傍から、交差スペースＳの東側まで延伸する通行スペースを形成する。作業スペースＷ２は、太陽光発電システム４００の西の端にある太陽電池アレイ構造体１Ｂ’の近傍から、交差スペースＳの西側まで延伸する通行スペースを形成する。作業スペースＷ３は、太陽光発電システム４００の南の端にある太陽電池アレイ構造体１Ａ’の近傍から、交差スペースＳの南側まで延伸する通行スペースを形成する。作業スペースＷ４は、太陽光発電システム４００の北の端にある太陽電池アレイ構造体１Ａ’の近傍から、交差スペースＳの北側まで延伸する通行スペースを形成する。そのため、作業者は、太陽光発電システム４００の東西南北のどちら側からでも、いずれかの通行スペースを通って、交差スペースＳまで移動することができる。例えば、作業者は、交差スペースＳ内にあるパワーコンディショナ等の点検やメンテナンスをするために、太陽光発電システム４００の外側から、作業スペースＷ１〜Ｗ４が形成する通行スペースを通って、交差スペースＳへ移動してもよい。また、太陽電池パネルやパワーコンディショナ等の大きく重い部品を交換したり修理したりする場合、部品を積載した作業用車両が、上記通行スペースを通行してもよい。
【００７５】
図１７は、図１６に破線で示す太陽光発電システム４００の一部領域を拡大した斜視図である。図１７に示すように、作業用車両は、作業スペースＷ１〜Ｗ４のいずれかを通って、東西南北のいずれかの方向から、交差スペースＳに入ることができる。また、交差スペースＳに入った作業用車両は、作業スペースＷ１〜Ｗ４のいずれかに移動することができる。換言すれば、作業用車両は、作業スペースＳを介して、ある作業スペースから他の作業スペースへ簡単に移動することができる。なお、太陽光発電システム４００に交差スペースＳが設けられていない太陽光発電システムでは、交差スペースＳの代わりに、太陽電池アレイ構造体１Ａまたは１Ｂが配置される。その場合、作業スペースＷ１〜Ｗ４のどれかは連通しなくなるため、作業用車両または作業者にとって、自分がいる作業スペースから移動することができない他の作業スペースが存在することになる。
【００７６】
〔実施形態５〕
本発明の他の実施形態について、図１８〜図２１に基づいて説明すれば、以下のとおりである。なお、説明の便宜上、前記実施形態にて説明した部材と同じ機能を有する部材については、同じ符号を付記し、その説明を省略する。
【００７７】
本実施形態では、前記実施形態４で説明した太陽光発電システム４００が備えた太陽電池アレイ構造体１Ａおよび１Ｂの一部が、「閉じる」ことができない太陽電池アレイ構造体、つまり太陽電池アレイ８０の傾斜角度が固定された固定型太陽電池アレイ構造体に置換された構成を説明する。
【００７８】
（例１）
図１８の（ａ）〜（ｃ）および図１９の（ａ）〜（ｃ）を用いて、太陽電池アレイ８０の傾斜角度が可変である太陽電池アレイ構造体１と、太陽電池アレイ８０の傾斜角度が固定されている太陽電池アレイ構造体９（固定型太陽電池アレイ構造体）とを備えた太陽光発電システム５００Ａの構成の一例を説明する。図１８の（ａ）〜（ｃ）は、太陽電池アレイ構造体１が「展開して」いるときの太陽光発電システム５００Ａを示す。図１９の（ａ）〜（ｃ）は、太陽電池アレイ構造体１が「閉じて」いるときの太陽光発電システム５００Ａを示す。例えば、太陽電池アレイ構造体９のみを備えたと仮定した太陽光発電システムにおいて、一時的な作業スペースＷを形成する位置を予め決定し、決定した位置に作業スペースＷを形成するために、太陽光発電システムの太陽電池アレイ構造体９を太陽電池アレイ構造体１と置換することによって、太陽電池アレイ構造体１と太陽電池アレイ構造体９とが混在した太陽光発電システム５００Ａを構成してもよい。
【００７９】
図１８の（ａ）は、太陽電池アレイ構造体１が展開しているときの太陽光発電システム５００Ａの俯瞰図である。図１８の（ｂ）は、図１８の（ａ）に示す太陽光発電システム５００Ａの一部の拡大図である。図１８の（ｃ）は、図１８の（ａ）に示す太陽光発電システム５００Ａの一部の斜視図である。図１８の（ａ）において、破線で囲った領域内には、太陽電池アレイ８０の傾斜角度が可変である太陽電池アレイ構造体１が配列されている。また、破線で囲った領域の外側には、太陽電池アレイ８０の傾斜角度が固定された太陽電池アレイ構造体９が配列されている。図１８の（ｂ）（ｃ）に示すように、太陽電池アレイ構造体１が展開しているとき、東西方向に隣り合う太陽電池アレイ構造体１と太陽電池アレイ構造体９との間には、作業者が通行可能である、上記所定値以上の幅を備える作業スペースまたは通行スペースが存在しない。また、太陽電池アレイ構造体９は、東西方向に、他の太陽電池アレイ構造体９と連結している。
【００８０】
図１９の（ａ）は、太陽電池アレイ構造体１が閉じたときの太陽光発電システム５００Ａである。図１９の（ｂ）は、図１９の（ａ）に示す太陽光発電システム５００Ａの一部の拡大図である。図１９の（ｃ）は、図１９の（ａ）に示す太陽光発電システム５００Ａの一部の斜視図である。図１９の（ｂ）（ｃ）に示すように、閉じた太陽電池アレイ構造体１’の近傍に、南北方向に延伸する一時的な作業スペースＷが形成される。図１９の（ａ）に示すように、作業スペースＷによって形成された通行スペースは、太陽光発電システム５００Ａの南の端にある太陽電池アレイ構造体１’の位置から、太陽光発電システム５００Ａの北の端にある太陽電池アレイ構造体１’の位置まで延伸している。また、上記通行スペースの１つは、前記実施形態４で説明した交差スペースＳを通っている。なお、太陽光発電システム５００Ａと比較するために、太陽光発電システム５００Ａが太陽電池アレイ構造体９のみを備えた構成を考えると、太陽光発電システム５００Ａの外側から、交差スペースＳへ移動するための通行スペースを形成することができない。その場合、作業者は、太陽光発電システム５００Ａの外側から作業スペースＳへ移動することはできないことは明らかであろう。
【００８１】
なお、図１９の（ａ）〜（ｃ）に示す太陽光発電システム５００Ａにおいて、太陽電池アレイ構造体１’と、南北方向に隣接する他の太陽電池アレイ構造体１’との間、および、太陽電池アレイ構造体９と、南北方向に隣接する他の太陽電池アレイ構造体９との間には、それぞれ、少なくとも作業者または作業用車両が通行可能な間隔が設けられていてもよい。この構成では、太陽光発電システム５００には、東西方向に延伸する通行スペースが設けられる。そのため、作業者または作業用車両は、上記東西方向に延伸する通行スペースを通って、メンテナンス対象である太陽電池アレイ構造体９の近傍まで移動することもできる。さらに、図１９の（ｂ）を見ればわかるように、作業者は、作業スペースＷと、上記東西方向に延伸する通行スペースとの間を自由に移動することもできる。
【００８２】
（例２）
図２０の（ａ）〜（ｃ）および図２１の（ａ）〜（ｃ）を用いて、太陽電池アレイ８０の傾斜角度が可変である太陽電池アレイ構造体１Ａおよび１Ｂと、太陽電池アレイ８０の傾斜角度が固定されている太陽電池アレイ構造体９とを備えた太陽光発電システム５００Ｂの構成の一例を説明する。図２０の（ａ）〜（ｃ）は、太陽電池アレイ構造体１が「展開して」いるときの太陽光発電システム５００Ｂを示す。図２１の（ａ）〜（ｃ）は、太陽電池アレイ構造体１Ａおよび１Ｂが「閉じて」いるときの太陽光発電システム５００Ｂを示す。前記実施形態４および５で説明したように、太陽電池アレイ構造体１Ａの長手方向は、南北方向に延伸しており、太陽電池アレイ構造体１Ｂの長手方向は、東西方向に延伸している。
【００８３】
図２０の（ａ）は、太陽電池アレイ構造体１が展開しているときの太陽光発電システム５００Ｂの俯瞰図である。図２０の（ｂ）は、図２０の（ａ）に示す太陽光発電システム５００Ｂの一部の拡大図である。図２０の（ｃ）は、図２０の（ａ）に示す太陽光発電システム５００Ｂの一部の斜視図である。図２０の（ａ）において、符号１Ａで示す破線で囲った領域内には、太陽電池アレイ８０の傾斜角度が可変である太陽電池アレイ構造体１Ａが配列されている。符号１Ｂで示す破線で囲った領域内には、太陽電池アレイ８０の傾斜角度が可変である太陽電池アレイ構造体１Ｂが配列されている。また、符号１Ａまたは１Ｂで示す破線で囲った領域の外側には、太陽電池アレイ８０の傾斜角度が固定された太陽電池アレイ構造体９が配列されている。図２０の（ｂ）（ｃ）に示すように、太陽電池アレイ構造体１Ａおよび１Ｂが展開しているとき、東西方向に隣り合う太陽電池アレイ構造体１Ａまたは１Ｂと太陽電池アレイ構造体９との間には、作業者が通行可能な作業スペースが存在しない。また、太陽電池アレイ構造体９は、東西方向に、他の太陽電池アレイ構造体９と連結している。
【００８４】
図２１の（ａ）は、太陽電池アレイ構造体１Ａおよび１Ｂが閉じたときの太陽光発電システム５００Ｂである。図２１の（ｂ）は、図２１の（ａ）に示す太陽光発電システム５００Ｂの一部の拡大図である。図２１の（ｃ）は、図２１の（ａ）に示す太陽光発電システム５００Ｂの一部の斜視図である。図２１の（ｂ）（ｃ）に示すように、閉じた太陽電池アレイ構造体１Ｂ’の近傍に、東西方向に延伸する一時的な作業スペースＷ１およびＷ２が形成される。また、閉じた太陽電池アレイ構造体１Ａ’の近傍に、南北方向に延伸する一時的な作業スペースＷ３およびＷ４が形成される。図２１の（ａ）に示すように、作業スペースＷ１〜Ｗ４によって形成された通行スペースは、いずれも、前記実施形態４で説明した交差スペースＳと接続している。
【００８５】
なお、太陽光発電システム５００Ｂの外周縁部に太陽電池アレイ構造体１Ａおよび１Ｂを配置しているのは、通常、太陽光発電システム５００Ｂの外周縁部を囲うように防護柵が設けられるからである。すなわち、外周縁部に配置した太陽電池アレイ構造体１Ａおよび１Ｂを閉じることによって、防護柵と太陽光発電システム５００Ｂの外周縁部との間に、作業スペースを形成することができる。
【００８６】
本実施形態の構成によれば、太陽光発電システム５００Ｂは、傾斜角度が可変である太陽電池アレイ構造体１Ａおよび１Ｂに加えて、太陽電池アレイの傾斜角度が固定された太陽電池アレイ構造体９を備えている。そのため、太陽光発電システム５００Ｂは、前記実施形態５で説明した太陽光発電システム５００Ａと同様に、傾斜角度が可変である太陽電池アレイ８０を備えた太陽電池アレイ構造体１Ａおよび１Ｂのみを備えた構成と比較して、コストを削減することができる。
【００８７】
〔実施形態６〕
本発明の他の実施形態について説明すれば、以下のとおりである。なお、説明の便宜上、前記実施形態にて説明した部材と同じ機能を有する部材については、同じ符号を付記し、その説明を省略する。
【００８８】
前記実施形態１〜５において説明した太陽光発電システム１００〜４００、５００Ａ、５００Ｂに適用可能な太陽電池アレイ構造体は、前記実施形態１〜５で説明した太陽電池アレイ構造体１および２に限定されない。太陽光発電システム１００〜４００、５００Ａ、５００Ｂは、少なくとも一部の太陽電池アレイ構造体として、太陽電池アレイ８０の傾斜角度を変化させることが可能な構成を備えた太陽電池アレイ構造体１または２を備えており、太陽電池アレイ８０の傾斜角度を大きくすることによって、太陽電池アレイ構造体１または２の近傍に、少なくとも作業者が通行できる作業スペースを一時的に形成することができればよい。
【００８９】
（例１）
前記実施形態１〜５で説明した太陽光発電システム１００〜４００、５００Ａ、５００Ｂが備えた太陽電池アレイ構造体１および２は、設置面に直接的に立設されていた。しかしながら、太陽光発電システム１００〜４００、５００Ａ、５００Ｂは、コンクリート等で形成された基礎の上に立設された太陽電池アレイ構造体を備えていてもよい。
【００９０】
図２２の（ａ）（ｂ）は、太陽光発電システム１００〜４００、５００Ａ、５００Ｂに適用可能な太陽電池アレイ構造体３の一例を示す。図２２の（ａ）（ｂ）に示すように、太陽電池アレイ構造体３は、前記実施形態２で説明した太陽電池アレイ構造体１と同じ構成（図１０の（ａ）（ｂ）および図１１の（ａ）（ｂ））に加えて、太陽電池アレイ構造体３の支柱３０を支持するための基礎部３０Ａをさらに備える。基礎部３０Ａは、例えば、コンクリート製であってよい。図２２の（ａ）は、太陽電池アレイ構造体３が展開しているときよりも少し太陽電池アレイ８０Ａおよび８０Ｂの傾斜角度が大きい太陽電池アレイ構造体３を示す。また、図２２の（ｂ）は、「閉じた」太陽電池アレイ構造体３’を示す。
【００９１】
基礎部３０Ａは、閉じた太陽電池アレイ構造体３’の近傍に一時的に形成される作業スペースＷと重ならないように、閉じた太陽電池アレイ構造体３’と同程度以下の幅を有することが望ましい。また、基礎部３０Ａは、ボルト等で設置面に固定されていてもよいし、何にも固定されず、単に設置面上に置かれてもよい。また、基礎部３０Ａの一部または全部が設置面中に埋設されていてもよい。基礎部３０Ａは、設置面に固定されない場合、風圧等によって太陽電池アレイ構造体１が移動しないように、十分な重量を備えることが望ましい。
【００９２】
（例２）
前記実施形態１〜５で説明した太陽光発電システム１００〜４００、５００Ａ、５００Ｂは、太陽電池アレイ構造体１および２の代わりに、上記特許文献３や上記特許文献４に記載された太陽電池アレイ構造体を備えていてもよい。
【００９３】
特許文献３に記載された太陽電池アレイ構造体は、太陽電池アレイの中心部に当接する支柱と、該支柱に取り付けられた補助支柱とを備えている。補助支柱は伸縮可能な構造を有する。また、補助支柱が太陽電池アレイに当接する位置（あるいは補助支柱が太陽電池アレイを支持する位置）を変化させることができる。補助支柱の長さと、補助支柱が太陽電池アレイに当接する位置とを調整することによって、太陽電池アレイの傾斜角度が変化する。例えば、補助支柱が、太陽電池アレイの前端部側で太陽電池アレイに当接しており、かつ、補助支柱が太陽電池アレイに当接する位置が、支柱が太陽電池アレイに当接する位置よりも低い場合、太陽電池アレイは、該太陽電池アレイの後端部が高く前端部が低くなるように傾斜する。また、補助支柱が、太陽電池アレイの後端部側で太陽電池アレイ８０に当接しており、かつ、補助支柱が太陽電池アレイに当接する位置が、支柱が太陽電池アレイ８０に当接する位置よりも低い場合、太陽電池アレイは後端部が低く前端部が高くなるように傾斜する。
【００９４】
特許文献４に記載された太陽電池アレイ構造体は、２本の支柱を備え、太陽電池アレイの前端部および後端部をそれぞれ１本の支柱によって支持する。上記太陽電池アレイ構造体は、太陽電池アレイの前端部を支持する支柱を折り畳む。これにより、太陽電池アレイの前端部が後端部に対して低くなるので、太陽電池アレイが傾斜する。
【００９５】
〔実施形態７〕
本発明の他の実施形態について説明すれば、以下のとおりである。なお、説明の便宜上、前記実施形態にて説明した部材と同じ機能を有する部材については、同じ符号を付記し、その説明を省略する。
【００９６】
前記実施形態１〜６で説明した太陽光発電システム１００〜４００、５００Ａ、５００Ｂのメンテナンスは、作業者によって実行される。作業者は、人間であってもよいし、自律型ロボット、またはコンピュータ制御される作業用機械であってもよい。太陽光発電システム１００〜４００、５００Ａ、５００Ｂのメンテナンス方法は、複数配列された太陽電池アレイ構造体１、２、または３のうちの少なくとも１つの太陽電池アレイ構造体１、２、または３において、設置面に対する太陽電池アレイ８０の傾斜角度を変化させて、太陽電池アレイ構造体１、２または３を閉じることにより、前記実施形態１等で説明した作業スペースＷ（図２等参照）または通行スペースを一時的に形成するステップを含む。
【００９７】
作業者は、このようにして一時的に形成された作業スペースＷまたは通行スペースを通って、作業の対象である太陽電池アレイ構造体１、２、または３の近傍、または作業を行う場所まで移動する。作業者が太陽電池アレイ構造体１、２、または３に対して行う作業には、例えば、太陽電池アレイ構造体１、２、または３の点検（外観異常や故障の有無の確認）や清掃の他、日射計の清掃、除草、雪かきが含まれる。作業が完了した後、作業者、または、太陽電池アレイ構造体１、２、または３に取り付けられたアクチュエータ等が、閉じた太陽電池アレイ構造体１、２、または３を再び展開させる。これにより、作業スペースＷまたは通行スペースは消滅する。
【００９８】
〔まとめ〕
本発明の態様１に係る太陽光発電システム（１００〜４００、５００Ａ、５００Ｂ）の設置構造では、複数の太陽電池パネルを接続した太陽電池アレイ（８０）と、当該太陽電池アレイを固定した架台とを備えた太陽電池アレイ構造体（１〜３）が、複数配列されており、隣り合う太陽電池アレイ構造体同士の間に形成された間隔は、作業者が作業を行うための作業スペースの幅未満、または、上記作業者が通行するための通行スペースの幅未満に設定され、上記隣り合う太陽電池アレイ構造体の少なくとも一方は、上記架台の設置面に対する上記太陽電池アレイの傾斜角度を変化させることにより、上記間隔を上記作業スペースの幅以上または上記通行スペースの幅以上に広げる可動部（回動機構部５０、載置台保持部６０、載置台保持部６０ａ）を備えている。
【００９９】
上記の構成によれば、太陽光発電システムが通常の発電を行う状態では、太陽電池アレイ同士の間に、作業者または作業用車両が作業をしたり通行をしたりするためのスペースがなくてよい。そのため、隣り合う太陽電池アレイ構造体同士を従来よりも近づけて配置することができ、太陽電池の設置容量を増加させることができる。
【０１００】
一方、少なくとも１つの太陽電池アレイ構造体に対する修理、清掃または除草などのメンテナンスを行いたいときには、メンテナンス対象の上記太陽電池アレイ構造体と、それと隣り合う太陽電池アレイ構造体との間隔を、上記作業スペースの幅以上または上記通行スペースの幅以上に広げる。そのためには、メンテナンス対象である太陽電池アレイ構造体と、それと隣り合う太陽電池アレイ構造体とのうち、可動部を備えた一方または両方の太陽電池アレイ構造体が備えた太陽電池アレイの傾斜角度を変化させればよい。これにより、メンテナンス対象の上記太陽電池アレイ構造体の近傍に、作業者のための作業スペースを一時的に形成することができる。
【０１０１】
本発明の態様２に係る太陽光発電システムの設置構造は、上記態様１において、ある方向に配列された複数の上記太陽電池アレイ構造体は、それぞれ上記可動部を備えており、上記可動部を備えた上記太陽電池アレイ構造体の上記太陽電池アレイの傾斜角度を、上記可動部によってそれぞれ変化させることにより、上記ある方向に延び、幅が上記作業スペースの幅以上または上記通行スペースの幅以上である通路を一時的に形成してもよい。
【０１０２】
上記の構成によれば、作業者または作業用車両が作業したり通行したりするために使用できる通路を、隣り合う太陽電池アレイ構造体の間に一時的に形成することができる。
【０１０３】
本発明の態様３に係る太陽光発電システムの設置構造は、上記態様１または２において、上記隣り合う太陽電池アレイ構造体の両方が、上記可動部を備えており、上記各可動部によって、上記隣り合う太陽電池アレイ構造体の太陽電池アレイの受光面同士が対面するように、上記隣り合う太陽電池アレイ構造体の太陽電池アレイの各傾斜角度を変化させることにより、上記間隔を、上記作業スペースの幅以上または上記通行スペースの幅以上に広げてもよい。
【０１０４】
上記の構成によれば、隣り合う太陽電池アレイ構造体の太陽電池アレイの受光面同士の間に、作業者が作業したり通行したりすることが可能なスペースを一時的に形成することができる。この場合、隣り合う太陽電池アレイ構造体の一方の太陽電池アレイの受光面を傾斜させることによって形成されるスペースよりも広いスペースを形成することができる。
【０１０５】
本発明の態様４に係る太陽光発電システムの設置構造は、上記態様１から３のいずれかにおいて、上記太陽電池アレイ構造体は、上記設置面に立設される支柱（３０）を備え、上記可動部は、上記支柱を挟むように上記太陽電池アレイを折り畳む構造を備えていてもよい。
【０１０６】
上記の構成によれば、メンテナンス対象である太陽電池アレイ構造体、またはそれに隣り合う太陽電池アレイ構造体が備えた太陽電池アレイを、支柱を挟むように折り畳むことによって、メンテナンス対象である太陽電池アレイ構造体の近傍に、作業者が作業したり通行したりすることが可能なスペースを一時的に形成することができる。
【０１０７】
また、太陽電池アレイを、支柱を挟むように折り畳む構成では、太陽電池アレイを構成する複数枚の太陽電池パネルの全てが設置面に近い位置に移動することになる。この結果、作業者が、太陽電池アレイを構成する全ての太陽電池パネルを点検したり、メンテナンスしたりすることが容易になる。
【０１０８】
本発明の態様５に係る太陽光発電システムの設置構造は、上記態様１から３のいずれかにおいて、上記太陽光発電システムが発電を行う状態では、上記設置面に対する上記太陽電池アレイの傾斜角度は0.5度以上60度以下に設定されていてよい。
【０１０９】
上記の構成によれば、太陽電池アレイ上に落ちた雨が、太陽電池アレイ上のほこり等の異物を取り込みながら、太陽電池アレイの受光面の勾配に沿って流れ、太陽電池アレイの端から、太陽電池アレイの下に落下する。すなわち、太陽電池アレイは自浄作用を有するので、作業者が太陽電池アレイを清掃する頻度を減少させることができる。
【０１１０】
本発明の態様６に係る太陽光発電システムの設置構造は、上記態様４において、上記太陽電池アレイは、第１太陽電池アレイ（８０Ａ）と第２太陽電池アレイ（８０Ｂ）とを備え、上記太陽電池アレイが折り畳まれた状態では、上記第１太陽電池アレイと上記第２太陽電池アレイとが上記支柱を挟み、上記太陽電池アレイが折り畳まれない状態では、上記設置面に対する上記第１太陽電池アレイの傾斜角度は、0.5度以上60度以下に設定されている一方、上記設置面に対する上記第２太陽電池アレイの傾斜角度は、−0.5度以上−60度以下に設定されていてよい。
【０１１１】
上記の構成によれば、上記態様６と同様に、太陽電池アレイが自浄作用を有するので、作業者が太陽電池アレイを清掃する頻度を減少させることができる。
【０１１２】
また、第１太陽電池アレイと第２太陽電池アレイとが、緩やかな山型を形成するので、第１太陽電池アレイおよび第２太陽電池アレイが占有する面積は、１つの平面になる形態の第１太陽電池アレイと第２太陽電池アレイとが占有する面積と比較して、小さくなる。したがって、太陽光発電システムを設営する全体面積に対して、太陽電池アレイの設置数を増やすことができるので、太陽電池の設置容量を増加させることができる。
【０１１３】
本発明の態様７に係る太陽光発電システムの設置構造は、上記態様１から６のいずれかにおいて、複数配列された上記太陽電池アレイ構造体には、上記可動部を備えない固定型太陽電池アレイ構造体（太陽電池アレイ構造体９）であって、太陽電池アレイの傾斜角度が固定された固定型太陽電池アレイ構造体が含まれていてもよい。
【０１１４】
上記の構成によれば、太陽光発電システムは、傾斜角度が可変である可動型太陽電池アレイ構造体に加えて、傾斜角度が固定された固定型太陽電池アレイ構造体を備えている。固定型太陽電池アレイ構造体は、通常、可動型太陽電池アレイ構造体よりもコストが低い。そのため、可動型太陽電池アレイ構造体のみを備えた太陽光発電システムと比較して、太陽光発電システムの設営コストを削減することができる。固定型太陽電池アレイ構造体は、例えば、太陽光発電システムにおいて、一時的な作業スペースまたは通行スペースを形成する必要がない位置に配置されてよい。
【０１１５】
本発明の態様８に係る太陽光発電システムの設置構造は、上記態様１から７のいずれかにおいて、互いに異なる方向に配列された複数の上記太陽電池アレイ構造体が上記可動部を備え、形成しようとする複数の通路が交差または接続する位置に、上記太陽電池アレイ構造体が配置されていないスペース（交差スペースＳ）が設けられており、互いに異なる方向に配列された上記太陽電池アレイの傾斜角度を上記可動部によってそれぞれ変化させることにより、上記スペースから互いに異なる上記方向に延び、幅がそれぞれ上記作業スペースの幅以上または上記通行スペースの幅以上である複数の上記通路が一時的に形成されてよい。
【０１１６】
上記の構成によれば、作業者は、異なる方向に延びる複数の通路の各々を通って、メンテナンス対象である太陽電池アレイ構造体の近傍まで移動することができる。さらに、太陽光発電システムに設けられたスペースには、太陽電池アレイ構造体が配置されていないので、作業者は、スペースを介して、複数の通路の間を、太陽電池アレイ構造体によって妨げられることなく、自由に移動することができる。
【０１１７】
本発明の態様９に係る太陽光発電システムの設置構造は、上記態様１から８のいずれかにおいて、上記作業スペースまたは上記通行スペースは、1.5ｍ以上の幅を備えていてもよい。上記の構成によれば、作業者が、一時的に形成される作業スペース内で作業を行ったり、または、一時的に形成される通行スペースを通行したりすることができる。
【０１１８】
本発明の態様１０に係る太陽光発電システムの設置構造に対するメンテナンス方法は、太陽光発電システム（１００〜４００、５００Ａ、５００Ｂ）の設置構造に対するメンテナンス方法であって、上記太陽光発電システムでは、複数の太陽電池パネルを接続した太陽電池アレイ（８０）と、当該太陽電池アレイを固定した架台とを備えた太陽電池アレイ構造体（１〜３）が、複数配列され、かつ、隣り合う太陽電池アレイ構造体同士の間に形成された間隔は、作業者が作業を行うための作業スペースの幅未満、または、上記作業者が通行するための通行スペースの幅未満に設定されており、上記隣り合う太陽電池アレイ構造体の少なくとも１つにおいて、上記架台の設置面に対する上記太陽電池アレイの傾斜角度を変化させることにより、上記間隔を、上記作業スペースの幅以上または上記通行スペースの幅以上に広げるステップを含む。
【０１１９】
上記の構成によれば、上記態様１に係る太陽光発電システムの設置構造と同様の効果を奏することができる。
【０１２０】
本発明の態様１１に係る太陽光発電システムの設置構造に対するメンテナンス方法は、上記態様１０の上記ステップにおいて、ある方向に配列された複数の上記太陽電池アレイ構造体がそれぞれ備えた上記太陽電池アレイの傾斜角度を変化させることにより、上記ある方向に延び、幅が上記作業スペースの幅以上または上記通行スペースの幅以上である通路を一時的に形成してもよい。
【０１２１】
上記の構成によれば、上記態様２に係る太陽光発電システムの設置構造と同様の効果を奏することができる。
【０１２２】
なお、上記態様１〜９に係る太陽光発電システムにおいて、太陽電池アレイ構造体は、太陽電池アレイを載置され、屈曲するように変形可能な屈曲部を有する載置部と、上記載置部を保持する保持部と、を備え、上記保持部は、上記載置部の変形と連動して動作し、上記載置部が屈曲しているときには上記載置部の上記屈曲部を、上記載置部が屈曲していないときよりも高い位置で保持してもよい。
【０１２３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１２４】
１〜３  太陽電池アレイ構造体
９  太陽電池アレイ構造体（固定型太陽電池アレイ構造体）
３０  支柱
５０  回動機構部（可動部）
６０、６０ａ  載置台保持部（可動部）
８０  太陽電池アレイ
８０Ａ  第１太陽電池アレイ
８０Ｂ  第２太陽電池アレイ
１００〜４００、５００Ａ、５００Ｂ  太陽光発電システム
【図１】
2018011484.tif 000004
【図２】
2018011484.tif 000005
【図３】
2018011484.tif 000006
【図４】
2018011484.tif 000007
【図５】
2018011484.tif 000008
【図６】
2018011484.tif 000009
【図７】
2018011484.tif 000010
【図８】
2018011484.tif 000011
【図９】
2018011484.tif 000012
【図１０】
2018011484.tif 000013
【図１１】
2018011484.tif 000014
【図１２】
2018011484.tif 000015
【図１３】
2018011484.tif 000016
【図１４】
2018011484.tif 000017
【図１５】
2018011484.tif 000018
【図１６】
2018011484.tif 000019
【図１７】
2018011484.tif 000020
【図１８】
2018011484.tif 000021
【図１９】
2018011484.tif 000022
【図２０】
2018011484.tif 000023
【図２１】
2018011484.tif 000024
【図２２】
2018011484.tif 000025